(57)【要約】【課題】人体以外の温度変化による誤検知を確実に防ぎ、容易で安価に誤検知防止を施すことができる空気調和機用人体検出装置を提供する。【解決手段】赤外線を集光する赤外線集光部１と、集光された赤外線量を検出する赤外線検出部２と、前記赤外線集光部１の一部領域を遮蔽する遮蔽板３とから構成されたもので、人体の動きとは無関係の温度変化が生じる可能性がある視野からの赤外線量変化の検知を排除して誤検知をより確実に防ぐとともに、より容易且つ安価に誤検知防止対策を施すことができる。【選択図】図１
2008014594.tif 000002
【特許請求の範囲】
【請求項１】
赤外線を集光する赤外線集光部と、集光された赤外線量を検出する赤外線検出部と、前記赤外線集光部の一部領域を遮蔽する遮蔽板とから構成されたことを特徴とする空気調和機用人体検出装置。
【請求項２】
空気調和機用人体検出装置が、空気調和機の室内機の吹出口の右側に設けられる場合は赤外線集光部の左方内側に遮蔽板を設け、前記吹出口の左側に設けられる場合は前記赤外線集光部の右方内側に前記遮蔽板を設けることを特徴とする請求項１に記載の空気調和機用人体検出装置。
【請求項３】
空気調和機用人体検出装置が空気調和機の壁掛けタイプの室内機に設けられる場合、赤外線集光部の下方内側に遮蔽板を設けることを特徴とする請求項１または２に記載の空気調和機用人体検出装置。
【請求項４】
請求項１〜３のいずれか１項に記載の空気調和機用人体検出装置を備えた空気調和機。
【発明の詳細な説明】
【技術分野】
【０００１】
本発明は、空気調和機用人体検出装置及び空気調和機に関するものである。
【背景技術】
【０００２】
従来、この種の空気調和機用人体検出装置を利用したものとして、人体より放射される赤外線を検出し、その人の検出に応じて運転／停止、設定温度、風量、風向等を制御するようにした空気調和機などが知られている（例えば、特許文献１参照）。
【特許文献１】実公平６−３６４４２号公報
【発明の開示】
【発明が解決しようとする課題】
【０００３】
しかしながら、上記従来の空気調和機用人体検出装置では、赤外線センサが検知した赤外線量の変化波形によって人体か人体以外かを判断するため、人体の動きに類似する温度変化を検知すると、必ずしも人体以外の温度変化を排除できず、誤検知が生じるという課題を有していた。
【０００４】
本発明は、空気調和機の風向変更羽根の動きやカーテンの揺らぎ等の人体以外の温度変化による誤検知をより確実に防ぎ、容易で安価に誤検知防止手段を施すことができる空気調和機用人体検出装置を提供することを目的とする。
【課題を解決するための手段】
【０００５】
前記従来の課題を解決するために、本発明の空気調和機用人体検出装置は、赤外線を集光する赤外線集光部と、集光された赤外線量を検出する赤外線検出部と、前記赤外線集光部の一部領域を遮蔽する遮蔽板とから構成されたもので、人体の動きとは無関係の温度変化が生じる可能性がある視野からの赤外線量変化の検知を排除して誤検知をより確実に防ぐとともに、より容易且つ安価に誤検知防止対策を施すことができる。
【０００６】
また、本発明の空気調和機は、請求項１〜３のいずれか１項に記載の空気調和機用人体検出装置を備えたもので、人体の動きとは無関係の温度変化が生じる可能性がある視野からの赤外線量変化の検知を排除して誤検知をより確実に防ぎ、人の活動量や在不在等を確実に検出して制御される空気調和機を提供することができる。
【発明の効果】
【０００７】
本発明の空気調和機用人体検出装置は、人体の誤検知を防止しながら人の活動量や在不在等を確実に検出して空気調和機を制御することができる。
【発明を実施するための最良の形態】
【０００８】
第１の発明は、赤外線を集光する赤外線集光部と、集光された赤外線量を検出する赤外線検出部と、前記赤外線集光部の一部領域を遮蔽する遮蔽板とから構成されたもので、人体の動きとは無関係の温度変化が生じる可能性がある視野からの赤外線量変化の検知を排除して誤検知をより確実に防ぐとともに、より容易且つ安価に誤検知防止対策を施すことができる。
【０００９】
第２の発明は、特に、第１の発明の空気調和機用人体検出装置が、空気調和機の室内機の吹出口の右側に設けられる場合は赤外線集光部の左方内側に遮蔽板を設け、前記吹出口の左側に設けられる場合は前記赤外線集光部の右方内側に前記遮蔽板を設けるもので、吹出口に設けられ吹出の風向を変更する風向変更羽根の動きによる赤外線量変化の検知を排
除して誤検知を防ぐことができ、室内機における空気調和機用人体検出装置の設置位置に応じて容易且つ安価に誤検知防止対策を施すことができる。
【００１０】
第３の発明は、特に、第１または第２の空気調和機用人体検出装置が空気調和機の壁掛けタイプの室内機に設けられる場合、赤外線集光部の下方内側に遮蔽板を設けるもので、室内機が設置された壁下方のカーテン等の揺らぎによる赤外線量変化の検知を排除して誤検知を防ぐことができ、壁掛け室内機への空気調和機用人体検出装置の設置において容易且つ安価に誤検知防止対策を施すことができる。
【００１１】
第４の発明は、請求項１〜３のいずれか１項に記載の空気調和機用人体検出装置を空気調和機に備えたもので、人体の動きとは無関係の温度変化が生じる可能性がある視野からの赤外線量変化の検知を排除して誤検知をより確実に防ぎ、人の活動量や在不在等を確実に検出して制御される空気調和機を提供することができる。
【００１２】
以下、本発明の実施の形態について、図面を参照しながら説明する。なお、この実施の形態によって本発明が限定されるものではない。
【００１３】
（実施の形態１）
図１（ａ）は、本発明の第１の実施の形態における空気調和機用人体検出装置を真上から見た図、（ｂ）は、同空気調和機用人体検出装置の赤外線集光部を正面から見た図、図２は、同空気調和機用人体検出装置を取り付けた空気調和機の室内機の外観図である。
【００１４】
本実施の形態における空気調和機用人体検出装置４（以下「人体検出装置４」という」は、赤外線を検出する視野範囲を広げるフレネルレンズ等の赤外線を集光するレンズを形成する赤外線集光部１と、背景と温度差がある物体の動きによって反応する焦電素子等によって赤外線量を検出する赤外線検出部２と、赤外線集光部１の一部領域を遮蔽すると共に、赤外線を遮蔽する樹脂および金属等で形成された遮蔽板３から構成されている。
【００１５】
図２に示すように、これらによって構成された人体検出装置４は、空気調和機の室内機５の吹出口５ａの右側に装着され、室内における人の在不在や活動量を検知し、空気調和機の運転ON/OFFや、設定温、風向、風量等を制御するようになっている。
【００１６】
この場合、吹出口５ａから吹き出される空気の向きを変更する風向変更羽根６が、上下に風向を変更すると、風向変更羽根６の動きが赤外線の検出視野範囲に入るため、赤外線集光部１の左方内側で赤外線検出部２との間に遮蔽板３を設け、温風又は冷風によって暖められたり冷やされたりした風向変更羽根６の動きを赤外線集光部１が検知しないように遮蔽板３によって赤外線量変化を遮蔽し、誤検知を防ぐことができる。
【００１７】
図３および図４は、人体検出装置４が、室内機５の吹出口５ａの左側に装着される場合の人体検出装置４の構成図および室内機５の外観図を示すものである。
【００１８】
図３（ａ）は、人体検出装置４を真上から見た図、（ｂ）は、同人体検出装置４の赤外線集光部を正面から見た図、図４は、同人体検出装置４を取り付けた空気調和機の室内機５の外観図である。
【００１９】
遮蔽板３は、赤外線集光部１の右方内側で赤外線検出部２との間に設けられ、人体検出装置４が、吹出口５ａの右側に装着された場合と同様に、風向変更羽根６の動きを赤外線集光部１が検知しないように遮蔽板３によって赤外線量変化を遮蔽し、誤検知を防ぐことができる。
【００２０】
図５及び図６は、人体検出装置４が、壁掛け型の空気調和機の室内機５に装着される場合の人体検出装置４の構成図および室内機５の外観図を示すものである。
【００２１】
図５（ａ）は、人体検出装置４の赤外線集光部１を正面から見た図、（ｂ）は、同人体検出装置４を横から見た図、図６は、同人体検出装置が装着された空気調和機の室内機の取り付け例を示す図である。
【００２２】
本例では、図５に示すように、人体検出装置４の赤外線集光部１の左方内側の遮蔽板３ａだけでなく、下方内側にも遮蔽板３ｂを設けたものである。これによって、図６の室内機の外観図に示すように、壁掛け型の室内機５の下方に設置されたカーテン７のゆらぎによる赤外線量変化の入射を遮蔽し、赤外線を検出する視野範囲から室内機下方領域を排除して誤検知を防ぐことができる。
【００２３】
以上のように、本実施の形態によれば、空気調和機において、風向変更羽根６の動きやカーテンの揺らぎ等の人体以外の温度変化による誤検知をより確実に防止することによって、人の活動量や在不在等を確実に検出して空気調和機を制御することができる。
【００２４】
また、人体検出装置４を室内機５に装着する場合、例えば、空気調和機の機種毎に異なる個々の室内機５の構造やデザインによって、人体検出装置４の室内機５での配置が異なることが容易に予想される。この場合、風向変更羽根６の動きやカーテン７の揺らぎ等の誤検知を防ぐために、機種毎の個々の室内機５に合わせてフレネルレンズ等の赤外線集光部１を設計し、新たな金型をつくって赤外線集光部１を量産するには多大なコストを要する。しかし、個々の室内機５に合わせて詳細な設計を必要としない遮蔽板３のみを追加すれば、量産した一種類のフレネルレンズを全ての室内機５の機種に適用することが可能となり、容易且つ安価に誤検知防止対策を施すことができる。
【産業上の利用可能性】
【００２５】
以上のように、本発明にかかる人体検出装置は、人体検出機能を有した空気調和機、空気清浄機、除湿機、加湿器、扇風機、換気扇等さまざまな機器にも搭載可能であり、非常に広範囲な用途展開を図ることができる。
【図面の簡単な説明】
【００２６】
【図１】（ａ）本発明の第１の実施の形態における空気調和機用人体検出装置を真上から見た図、（ｂ）同空気調和機用人体検出装置の赤外線集光部を正面から見た図
【図２】同空気調和機用人体検出装置が装着された空気調和機の室内機の例を示す外観図
【図３】（ａ）同空気調和機用人体検出装置を真上から見た図（空気調和機の吹出口の左側に装着した例）、（ｂ）同空気調和機用人体検出装置の赤外線集光部を正面から見た図
【図４】同空気調和機用人体検出装置が装着された空気調和機の室内機の例を示す外観図
【図５】（ａ）同空気調和機用人体検出装置の赤外線集光部を正面から見た図（壁掛け型室内機に装着した例）、（ｂ）同空気調和機用人体検出装置を横から見た図
【図６】同空気調和機用人体検出装置が装着された空気調和機の室内機の取り付け例を示す図
【符号の説明】
【００２７】
１  赤外線集光部
２  赤外線検出部
３、３ａ、３ｂ  遮蔽板
４  空気調和機用人体検出装置（人体検出装置）
５  室内機
６  風向変更羽根
７  カーテン
【図１】
2008014594.tif 000003
【図２】
2008014594.tif 000004
【図３】
2008014594.tif 000005
【図４】
2008014594.tif 000006
【図５】
2008014594.tif 000007
【図６】
2008014594.tif 000008